(57)【要約】【課題】取り扱い性に優れ、正確な測定が行えるバスダクト用測定装置を提供する。【解決手段】本考案のバスダクト用測定装置は、直線形状にすることが可能であり、少なくとも１つの側面に目盛１２が付与された本体１１を備えている。本体１１は、ヒンジ部１５を介して折り畳み可能な複数の節１１ａ〜１１ｄで構成され、節と節の間に、両節を９０°に折り曲げた状態で固定可能な固定部材２０を設けたことを特徴とする。【選択図】図２
0003164468.tif 000002
【実用新案登録請求の範囲】
【請求項１】
直線形状にすることが可能であり、少なくとも１つの側面に目盛が付与された本体を備えたバスダクト用測定装置であって、
前記本体は、ヒンジ部を介して折り畳み可能な複数の節で構成され、
前記節と節の間に、両節を９０°に折り曲げた状態で固定可能な固定部材を設けたことを特徴とするバスダクト用測定装置。
【請求項２】
前記折り畳まれる複数の各節は同一の長さを有しており、各節は前記ヒンジ部を介して１８０°に折り畳まれることを特徴とする請求項１に記載のバスダクト用測定装置。
【請求項３】
前記本体は、断面矩形の中空形状に形成されていることを特徴とする請求項１又は２に記載のバスダクト用測定装置。
【請求項４】
前記本体は、アルミ、プラスチック、繊維強化樹脂のいずれかで形成されることを特徴とする請求項１から３のいずれか１項に記載のバスダクト用測定装置。
【請求項５】
前記本体に磁石を設置したことを特徴とする請求項１から４のいずれか１項に記載のバスダクト用測定装置。
【請求項６】
前記本体に、前記目盛に沿って摺動可能な目盛読取金具を設置したことを特徴とする請求項１から５のいずれか１項に記載のバスダクト用測定装置。
【請求項７】
前記本体に、前記固定部材による節の折り曲げ方向に対して、さらに異なる方向に節を折り曲げ可能に変更する変更手段を設置したことを特徴とする請求項１から６のいずれか１項に記載のバスダクト用測定装置。
【考案の詳細な説明】
【技術分野】
【０００１】
本考案は、各種の施設内に設置されるバスダクトに関わるものであり、詳細には、設置されているバスダクトの測定に際して用いられるバスダクト用測定装置に関する。
【背景技術】
【０００２】
一般的に、バスダクトは、ビルや工場などの施設内において、主電力供給ラインとして設置されている。通常、バスダクトは、複数の導体を収容したケーシングを備えており、設置される部分に応じて様々な形態が知られている。例えば、直線状に形成されたもの（ストレート）、任意の角度に曲げられているもの（エルボ）、段差が設けられているもの（オフセット）、複数方向に接続が可能なもの（ティー、クロス）など、様々な構成が知られている。そして、このようなバスダクト（ケーシング）には、特許文献１及び特許文献２などに開示されているように、収容されている導体と接続して電力を分岐するプラグイン器具が設けられている。
【０００３】
ところで、上記したバスダクトは、例えば大型物件になると、寸法調整の観点から、曲がり部等で１箇所ないし２箇所を残しておき、所定の部分を施工した後に残った部分を実測してその部分に合致するケーシングを製造することがある。すなわち、所定の部分を空白にした状態でバスダクトを設置した後、現場で空白部分の測定を行ない、その測定値に基づいて残った部分のケーシングをカスタマイズ等することがある。或いは、大型物件に限らず、バスダクト設置後に、何らかの要因で部分的にケーシングを取り替える必要が生じることもある。
【０００４】
従来では、例えば、曲がり部（エルボ）であれば、図１に示すように、交差方向に延在するケーシング１，２を設置した後、設置された状態のケーシング１，２の端部の関係（端部間の距離等）を測定し、その測定値に基づいて曲がり部を製造し、それを現場で組み付けることが行われている。具体的には、一方のケーシング１の表面部のセンターにアングル／フラットバー５を押し当てながらセンター部分を延長すると共に、他方のケーシング２に形成されているＶ溝にコンベックス（メジャー）７を位置付けし、ここからアングル／フラットバー５までの距離を測定することで、延長されたバスダクトセンターとＶ溝間の長さを測定してエルボの一方の寸法を算出することが行われている（エルボの他方の寸法も同様な手順で測定される）。
【先行技術文献】
【特許文献】
【０００５】
【特許文献１】特開２００５−２２９６５６号
【特許文献２】特開２００７−２６７４６４号
【考案の概要】
【考案が解決しようとする課題】
【０００６】
上記したような測定方法では、予め施工したケーシングが斜めになっていたり、その距離が長い場合など、測定に不具合が生じることがある。すなわち、上記のように、一方のケーシングに対してアングル／フラットバーを沿うように這わせ、他方のケーシングにコンベックスを這わせることから、位置ずれなどが生じ易く、結果として、その寸法に基づいて製造したケーシングの大きさが適切でなく、所定の位置に設置できないことがある。特に、設置する部分の距離が長くなると、アングル／フラットバーを保持する者と、コンベックスで測定する者など、複数の人員が必要となり、測定値に誤差が生じ易くなってしまう。
【０００７】
また、測定する部分の寸法が長くなると、長いアングル／フラットバー（例えば１５００ｍｍ）を現場に携行する必要があり、持ち運び等に不便が生じてしまう。
【０００８】
本考案は、上記した問題に着目してなされたものであり、取り扱い性に優れ、正確な測定が行えるバスダクト用測定装置を提供することを目的とする。
【課題を解決するための手段】
【０００９】
上記した目的を達成するために、本考案に係るバスダクト用測定装置は、直線形状にすることが可能であり、少なくとも１つの側面に目盛が付与された本体を備えており、前記本体は、ヒンジ部を介して折り畳み可能な複数の節で構成され、前記節と節の間に、両節を９０°に折り曲げた状態で固定可能な固定部材を設けたことを特徴とする。
【００１０】
上記した構成のバスダクト用測定装置によれば、本体が折り畳み可能な複数の節で構成されるため、携行性、及び測定時における取り扱い性の向上が図れるようになる。また、本体の少なくとも１つの側面に目盛が付されており、かつ複数存在する節と節の間に、両節を９０°に折り曲げた状態で固定可能な固定部材が設けられているため、設置されるバスダクトの曲がり部やオフセット部について容易かつ正確に測定することが可能となる。すなわち、本体を、９０°屈曲されたスケールとして使用することができるため、従来のように、複数の測定器具（アングル／フラットバー、コンベックスなど）を用いる必要がなくなる。なお、本体を構成する複数の節については、折り曲げることなく、直線形状にしておくことで、直線部についても正確に測定することが可能となる。
【考案の効果】
【００１１】
本考案によれば、取り扱い性に優れ、正確な測定が行えるバスダクト用測定装置が得られる。
【図面の簡単な説明】
【００１２】
【図１】従来のバスダクトの測定方法を説明する図。
【図２】（ａ）は本考案に係るバスダクト用測定装置の第１の実施形態を示す図、（ｂ）は図（ａ）のＡ−Ａ線に沿った断面図。
【図３】図２に示すバスダクト用測定装置を折り畳んだ状態を示す図。
【図４】節と節の間に設けられる固定部材の構成例を示す図。
【図５】図２に示すバスダクト用測定装置を用いた測定方法を説明する図。
【図６】本考案の第２の実施形態を示す図であり、（ａ）は本体を直線状にした状態を示す図、（ｂ）は変更手段の部分の拡大図、（ｃ）は本体を屈曲させた状態を示す図。
【考案を実施するための形態】
【００１３】
以下、本考案に係るバスダクト用測定装置の実施形態について添付図面を参照して具体的に説明する。
【００１４】
図２から図５は、バスダクト用測定装置の第１の実施形態を示す図である。
本実施形態のバスダクト用測定装置（以下、測定装置と称する）１０は、図２に示すように、直線形状にすることが可能な本体１１を備えている。この本体１１は、直線状にしたとき、全長が２０００ｍｍとなるように設定されており、ヒンジ部１５を介して折り畳みが可能となるように、４つの節１１ａ，１１ｂ，１１ｃ，１１ｄによって構成されている。
【００１５】
４つの節１１ａ〜１１ｄは、全長を当分割して同一の長さに設定しておくことが好ましく（このため、各節の長さは５００ｍｍとされる）、各節は、前記ヒンジ部１５を介して１８０°に折り畳めるように構成されている。したがって、各節を折り畳むと、図３に示すように、４つの節が積層された状態となって、全長が５００ｍｍの大きさとなり、簡単に持ち運びすることが可能となる。
【００１６】
本体１１を構成する各節１１ａ〜１１ｄについては、図２（ｂ）に示すように、断面が矩形（正方形）で、中空構造にすることが好ましく、少なくとも１つの側面に、目盛（スケール）１２が付与されている。なお、図に示す構成では、目盛１２は、本体１１の一つの側面に付与されているが、全ての側面に付与しておくことが好ましい。
【００１７】
前記本体を構成する複数の節には、いずれかの位置で、隣接する節と節の間に、両節を９０°に折り曲げた状態で固定可能な固定部材２０が設けられている。本実施形態の固定部材２０は、４つの節の内、節１１ｂと１１ｃとの間に設置されており、図２及び図４に示すように、節１１ｃに支持ピン２１ａを中心にして回転可能に支持された係止板材２１と、節１１ｂの所定位置に設けられた固定ピン２２とを備えている。このため、係止板材２１を、支持ピン２１ａを中心に回転させて、その先端に形成された係止溝２１ｂを固定ピン２２に係止させることで、節１１ｂと１１ｃは、９０°に固定できるようになっている（図４参照）。
【００１８】
なお、上記したような固定部材２０については、隣接する節を９０°で固定できるような機能を備えていれば良く、その配設箇所、及びその構成については、適宜変形することが可能である。
【００１９】
また、上記本体１１には、測定時において、バスダクトに固着できるように、磁石２５を設置しておくことが好ましい。本実施形態では、本体１１の両サイドの節１１ａ，１１ｄの内部に埋設されており、外部に露出しないようにしている。さらに、前記本体１には、側面に付された目盛１２に沿って摺動可能な目盛読取金具２８を設置しておくことが好ましい。このような目盛読取金具２８は、本体１１の両端側において、節を囲繞するようなロの字型形状に構成することが可能であり、このように構成される各目盛読取金具２８について、上記したヒンジ部１５を乗り越えて、隣接する節１１ａ，１１ｂ、及び節１１ｃ，１１ｄの範囲で摺動可能に構成されている。
【００２０】
上記した構成の測定装置によれば、本体１１が折り畳み可能な複数の節１１ａ〜１１ｄで構成されるため、携行性、及び測定時における取り扱い性の向上が図れるようになる。すなわち、本実施形態のように全長が２０００ｍｍであっても、各節を、ヒンジ部を介して１８０°折り畳むと、各節が積層された状態となって、全長が５００ｍｍとなるため、持ち運び性、及び取り扱い性の向上が図れるようになる。
【００２１】
また、前記本体（各節）１１には、側面に目盛１２が付されており、かつ節と節の間に、両節を９０°に折り曲げた状態で固定可能な固定部材２０が設けられているため、図５に例示するように、本体１１を９０°で屈曲された状態に固定することが可能となり、これにより、設置されるバスダクト（ケーシング１，２）の曲がり部、或いはオフセット部の測定（一方のケーシング１と他方のケーシング２のＶ溝間の測定）を、直接的に行えると共に、容易かつ正確に行えるようになる。なお、上記したような目盛読取金具２８を設けたことにより、測定ミスも軽減することが可能となる。
【００２２】
また、上記した構成では、本体１１は、断面矩形で中空状に形成されていることから、軽量化が図れると共に、各節を１８０°折り曲げることで積層した直方体状にすることができ、取り扱い性の向上が図れ、測定操作を容易に行うことができる。この場合、本体１１を、例えば、アルミ、プラスチック、繊維強化樹脂などの軽量素材で形成することで、さらに軽量化を図ることが可能となり、持ち運び性、及び操作性の向上が図れるようになる。
【００２３】
さらに、上記した構成では、本体１１に磁石２５を設置していることから、測定時において、図５に示すように、本体をケーシング１，２の所定の位置に固定しておくことが可能となり、一人でも測定操作を行うことが可能となる。
【００２４】
図６（ａ）〜（ｃ）は、本考案の第２の実施形態を示す図であり、（ａ）は本体を直線状にした状態を示す図、（ｂ）は変更手段の部分の拡大図、（ｃ）は本体を屈曲させた状態を示す図である。
この実施形態では、上記の実施形態と同様に構成された本体１１に、固定部材２０による節の折り曲げ方向に対して、さらに異なる方向に節を折り曲げ可能に変更する変更手段３０を設置している。
【００２５】
すなわち、上記した実施形態では、図５に示すように、同一の面内（図では水平面内）で、節が９０°に屈曲されるようになっていたが、変更手段３０を設けることで、図６（ｃ）に示すように、さらに異なる方向に節を屈曲させることも可能となる。具体的に、変更手段３０は、上記した実施形態の節１１ｂの部分に設けられており、節１１ｂを、更に２つの節１１ｂ´と１１ｂ´´に分割し、一方の端面に突起３１を、他方の端面に、突起３１が嵌入される穴３２を形成して変更手段３０としている。この場合、上記した固定部材２０は、節１１ｂ´´と節１１ｃとの間に設置されている。
【００２６】
このような構成では、節１１ｂ´と１１ｂ´´を外して相対回転することで、節１１ｃ，１１ｄの方向を変更（節１１ａ，１１ｂ´，１１ｂ´´が含まれる面に対して直交する方向に変更）することが可能となる。すなわち、図に示す構成では、節１１ｃ，１１ｄについては、同一の面内において９０°毎に４方向に変更して測定することも可能となり、これにより、測定の利便性をより向上することが可能となる。なお、本体１２の側面に付される目盛１２については、本体１１の４つの側面に付与しておくことで、測定性の向上が図れるようになる。
【００２７】
以上、本考案の実施形態について説明したが、本考案は上記した実施形態に限定されることはなく、種々変形することが可能である。
例えば、本体１１の全長、本体１１を分割する節の数、各節の長さ、節の断面形状などについては、適宜変形することが可能である。また、上記したヒンジ部１５の構成、目盛１２が付与される面、磁石２８を装着する位置、変更手段３０の構成についても適宜変形することが可能である。
【符号の説明】
【００２８】
１０  バスダクト用測定装置
１１  本体
１１ａ〜１１ｄ  節
１２  目盛
１５  ヒンジ部
２０  固定部材
２５  磁石
２８  目盛読取金具
３０  変更手段
【図１】
0003164468.tif 000003
【図２】
0003164468.tif 000004
【図３】
0003164468.tif 000005
【図４】
0003164468.tif 000006
【図５】
0003164468.tif 000007
【図６】
0003164468.tif 000008